(57)【特許請求の範囲】
【請求項１】
窓枠（２）を構成する左右縦枠材（２１，２１）の中間高さより上部に、障子（３）を偏心状態で軸支すると共に、障子上框（３１）の室内面側に重り（４）を取り付け、窓枠取付部の室内側にロッド（５２）を水平に、且つモータ（Ｍ）にて回転し得るように軸支し、該ロッド（５２）に、障子竪框（３２）を室内側より押圧するアーム（５３）をロッド（５２）の軸支方向と直交する方向に一体的に突設したことを特徴とする横軸回転窓。
【請求項２】
ロッド（５２）は、障子（３）の軸支箇所と略同じ高さ位置に軸支してあることを特徴とする請求項１記載の横軸回転窓。
【発明の詳細な説明】
【０００１】
【発明の属する技術分野】
本発明は、横軸を支点にして障子を開閉する横軸回転窓に関するものである。
【０００２】
【従来の技術】
従来の横軸回転窓は、窓枠を構成する左右縦枠材の中間高さに軸受を取付けると共に、両軸受間に障子竪框から突出する横軸を軸支することによって、その軸支部を支点にして障子を室内外に回転させ、しかも、窓枠と障子の間に設けた煽り止めによって障子の開放状態を保持するものであった。
【０００３】
【発明が解決しようとする課題】
ところが従来の横軸回転窓では、障子の開放状態が煽り止めによって保持されていることから、風の吹いた時にはその都度、煽り止めによる固定を解放し、障子を人為操作によって閉鎖固定しなければならない問題点があった。
【０００４】
本発明は上記実情に鑑みて成されたものであり、その目的とするところは、風の圧力によって開放状態の障子を自動的に閉鎖することのできる横軸回転窓を提供することである。
【０００５】
【課題を解決するための手段】
本発明の横軸回転窓は、窓枠を構成する左右縦枠材の中間高さより上部に、障子を偏心状態で軸支すると共に、障子上框の室内面側に重りを取り付け、窓枠取付部の室内側にロッドを水平に、且つモータにて回転し得るように軸支し、該ロッドに、障子竪框を室内側より押圧するアームをロッドの軸支方向と直交する方向に一体的に突設したことを特徴とするものである。さらに本発明の横軸回転窓は、ロッドを、障子の軸支箇所と略同じ高さ位置に軸支してあることを特徴とする。
【０００８】
【発明の実施の形態】
先ず本発明による横軸回転窓１の第一実施形態は、図１に示すように、窓枠２を構成する左右縦枠材２１，２１の上部間、例えば各縦枠材２１を上から下に向かって１対２に分割する箇所に、障子３を偏心状態で軸支すると共に、障子上框３１の室内面側に、障子３が傾斜した状態でバランスを保つ重り４を設け、重り４の重量を増減することによって、障子３の開放傾斜角度を調整し、その上、図３に示すように、室内側に障子３を自動的に開閉し得る開閉手段５を有するものである。
【０００９】
重り４は図２に示すように、上框３１の室内面側に、ハット形の取付金具４１を固着し、取付金具４１より室内に向けて突出するボルトＢに、抜孔４２を有する重り板４３を複数枚挿通して重量を調整し、これら重り板４３をボルトＢから外れないようにナットＮで締め付けて確実に固定したものである。また、重量の異なる重り板４３を多数枚用意しておくことによって、重量の調整を行い易くすることもできる。なお、符号４４は、重り４を覆い隠して体裁を整えるケースであり、符号Ａはケース４４を上框３１に固定する為のアングルである。
【００１０】
開閉手段５は、図３に示すように、窓枠取付部の室内面側、具体的には窓枠２の左右側方で、しかも障子３の軸支箇所と略同じ高さ位置に軸受５１，５１を夫々設け、両軸受５１，５１によってロッド５２を水平、かつ回転可能に支持し、ロッド５２の左右側部に一対のアーム５３を、対向する状態で、かつロッド５２の軸支方向に対して直交する方向に一体的に突設し、ロッド５２をモータＭによって回転させることにより、アーム５３が障子竪框３２の上部、若しくは下部を室内側より押圧するものである。
【００１１】
また、アーム５３を図４に示すように、室内側の斜め上方に向かって傾斜する状態に保持すれば、障子３の可動領域が閉鎖状態からアーム５３の先部に当接するまでの範囲に設定されることは勿論、風に煽られた場合でも障子３が大きくばたつかないようになる。その上、障子３の開放傾斜角度を広くするように重り４の重量を設定しておけば、図１１に示すようにロッド５２を回動してアーム５３の保持角度を調整することによって、障子３の開放傾斜角度を狭くすることも、逆に広くすることも自由自在である。なお、障子３がロッド５２に当接するまでアーム５３を回転させることによって、図１２に示すように障子３を全開状態で保持し、障子３の上部室外面を室内から拭掃除し易くすることも可能である。
【００１２】
さらに、障子３の上部が風圧等により室内側に勢い良く傾斜した場合に、竪框３２がアーム５３の先部に当る衝撃をやわらげる為に、図４及び図５に示すように、アーム５３の先部にＴ字型をなす緩衝板５４の中間部を軸支すると共に、緩衝板５４の基部とアーム５３の中間部との間にスプリングＳを引っ掛けてある。
【００１３】
これは、緩衝板５４に向かって傾斜してくる障子３の圧力が、スプリングＳの引張力より小さい場合は、図４に示すように緩衝板５４はアーム５３から一直線に延出し、かつ緩衝板５４の先部の一方がアーム５３の先部より室外側に突出して竪框３２に当接する状態になる。一方、逆に、前記障子３の圧力がスプリングＳの引張力を上回った場合は、図６に示すように、緩衝板５４の上部がアーム５３の仮想延長線に対して室内側に傾斜する状態になる。なお、緩衝板５４の先部の他方は図１２に示すように、障子３を全開する際にその機能を発揮する。
【００１４】
また、アーム５３の先部、並びに緩衝板５４の先部にローラ５５を軸支し、該ローラ５５に障子竪框３２が当接するようにして、障子３の閉鎖行為を円滑に行えるようにしてある。
【００１５】
上記した横軸回転窓１は、風速や雨量を測定する検知手段（図示せず）を利用することによって、以下のように使用することができる。
【００１６】
障子３の開放状態において、検知手段から限界値以上の風速若しくは雨量データを測定したら、モータ駆動制御装置（図示せず）によってモータＭが正回転し、それに連動してロッド５２とアーム５３が一体的に回転し、図４に示すように、アーム５３に軸支された緩衝板５４の先部が障子竪框３２の上部に当接して竪框３２を起立方向に押圧し、図７に示すように障子３を閉鎖する。
【００１７】
また、障子３の閉鎖状態において、検知手段から限界値未満のデータを測定したら、駆動制御装置によってモータＭが逆回転し、それに連動してロッド５２とアーム５３が一体的に反転することによって、アーム５３が障子３を押圧する力が解放されるので、重り４によって障子３が自然に開放傾斜する。
【００１８】
更に、横軸回転窓１の第二実施形態は、第一実施形態の一部構造、具体的には障子３を偏心状態で軸支すると共に、障子上框３２に重り４を取り付けた構造に加えて、図８に示すように、障子下框３３の室内面側に係止具６を取り付けると共に、窓枠取付部の室内側に、係止具６と自動的に嵌脱するロック手段７を設け、障子３を閉鎖状態に固定することを特徴とするものである。
【００１９】
係止具６は図９のように、下框３３の室内面における中央部、若しくは左右両側部に、逆Ｌ字型の金具６１を室内側に突出するように固定し、その突出部の先部に、ピン６２を起立したものである。
【００２０】
一方、ロック手段７は、図８及び図１０に示すように、窓下枠材２２の室内面における左右両側部に夫々取付けた支持手段１１を利用して、横軸７１を下框３３と略同一高さで水平に、且つスライド可能に支持し、横軸７１の端部にラック７２を形成し、そのラック７２に噛み合うピニオン７３をモータＭで動かすことによって、横軸７１をスライドするようになし、横軸７１に前記係止具６のピン６２に嵌脱するフック７４を固定したものである。
【００２１】
また、横軸７１の支持手段１１は図１０に示すように、一対のガイドローラ１３，１３にて横軸７１を挟むように支えるもので、両ガイドローラ１３，１３を角筒ケース１２で被覆するものである。
【００２２】
本発明の横軸回転窓は、上記実施形態に限定されるものではない。たとえば、第二実施形態においては、係止具６にロック手段７を手動式に係止する構造のものであっても良い。また、第一実施形態の横軸回転窓を連窓に構成した場合、ロッド５２を各回転窓に連続するように設け、そのロッド５２に一体的に設けたアーム５３によって、各回転窓の障子３を同時に開閉し得るようにしてもよい。さらに、集会場や工場等の屋根の棟に換気室を設け、該換気室の四方に本発明の横軸回転窓を取り付ければ、強風時には一方向の横軸回転窓のみが閉鎖し、他方向の横軸回転窓は開放しているので、換気を良好に行うことができる。
【００２３】
また、横軸回転窓は第一実施形態に第二実施形態を加えた構造にすれば、アーム５３とロック手段７を動かす各モータＭを駆動制御装置で順序良く動かすことによって、開放状態の障子３をアーム５３で強制的に閉鎖した後に、障子３をロック手段７で自動的に閉鎖状態に固定することができ、逆の要領で、ロック手段７を外した後、アーム５３を動かして閉鎖状態の障子３を自動的に開放することもできる。
【００２４】
【発明の効果】
本発明の横軸回転窓は、障子の上部を偏心状態で軸支すると共に、障子上框の室内面側に重りを設けてあるので、無風、或いは微風時には、障子の上部が室内側に倒れ込むようにして自然に開き、障子を傾斜開放状態で保持することができる一方、風力、風圧によっては、軸支箇所より下側部分の障子面積が、上側部分の障子面積より広いので、障子の下側部分が室内側に押し込まれ、障子が自然に閉鎖される。その結果、室内の環境を快適に保つことができる。
【００２５】
また、モータでロッドを回転させると、ロッドに一体的に設けたアームが開放状態の障子を閉鎖方向に押し込むので、障子の開放傾斜角度を調整することや、障子を自動的に閉鎖することができる。さらに、障子が閉鎖した状態では、逆に、モータでロッドを反転させ、ロッドに一体的に設けたアームが障子を押圧する力を解放すれば、重りによって障子を自動的に開放できる。従って、風速及び雨量を測定する検知手段を利用することによって、その検知手段のデータに基づいて、障子を強制的に開閉することもできる。さらに請求項２記載の発明のように、ロッドを障子の軸支箇所と略同じ高さ位置に軸支することで、アームの機能が最大限に発揮され、障子を全開状態で保持することも可能となる。
【図面の簡単な説明】
【図１】本発明による横軸回転窓の第一実施形態の構造を示す概略縦断面図である。
【図２】重りの構造例を示す要部縦断面図である。
【図３】横軸回転窓の第一実施形態の一部を示す概略正面図である。
【図４】傾斜状態に開放した障子のアームによる支持状態を示す概略縦断面図である。
【図５】アームの使用例を示す要部拡大側面図である。
【図６】緩衝板による障子倒伏時の緩衝例を示す概略縦断面図である。
【図７】障子閉鎖時のアームと緩衝板の関係を示す概略縦断面図である。
【図８】横軸回転窓の第二実施形態の一部を示す一部切欠平面図である。
【図９】障子閉鎖時のロック構造例を示す縦断面図である。
【図１０】横軸の支持構造例を示す縦断面図である。
【図１１】障子の開放傾斜角度をアームで調整する使用例を示す概略縦断面図である。
【図１２】障子を全開状態に保持した状態を示す横断面図である。
【符号の説明】
２  窓枠
３  障子
４  重り
６  係止具
７  ロック手段
２１  縦枠材
３１  障子上框
３３  障子下框
５２  ロッド
５３  アーム
Ｍ  モータ
【図１】
0003692652.tif 000002
【図２】
0003692652.tif 000003
【図３】
0003692652.tif 000004
【図４】
0003692652.tif 000005
【図５】
0003692652.tif 000006
【図６】
0003692652.tif 000007
【図７】
0003692652.tif 000008
【図８】
0003692652.tif 000009
【図９】
0003692652.tif 000010
【図１０】
0003692652.tif 000011
【図１１】
0003692652.tif 000012
【図１２】
0003692652.tif 000013